【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
入力される駆動信号に応じて発光する複数の光源がそれぞれ異なる位置に配置されている発光部と、
前記複数の光源にそれぞれ異なる波形の駆動信号を入力する駆動部と、
指向させられた方向から受ける光に応じた光検出信号を出力する光検出装置と、
前記光検出装置を前記発光部に指向させた場合に前記光検出装置が出力する、前記発光部の発光に応じた光検出信号の波形と、前記駆動部が前記各光源に入力する駆動信号の波形と、に基づいて、前記光検出装置が指向させられている前記発光部の位置を検出する位置検出部と、
を有する位置検出システム。
【請求項２】
前記位置検出部は、前記光検出装置を前記発光部に指向させた場合に前記光検出装置が出力する、前記発光部の発光に応じた光検出信号の波形と、前記駆動部が前記各光源に入力する駆動信号の波形と、を比較し、前記光検出信号の波形に最も近似する波形の駆動信号を特定し、該特定した駆動信号により駆動される光源が配置されている位置に基づいて、前記光検出装置が指向させられている前記発光部の位置を検出することを特徴とする請求項１に記載の位置検出システム。
【請求項３】
前記発光部は、光源からの光を導入して面発光する導光板を有し、
前記光源は、それぞれ前記導光板に近接する複数の異なる位置から前記導光板に縦方向又は横方向に光を入射するよう配置され、
前記導光板の発光面は複数の領域に分割され、各領域は、その領域に縦方向に光を入射する光源の発光とその領域に横方向に光を入射する光源の発光とを合成した光に応じて面発光するよう構成され、
前記位置検出部は、前記光検出装置を前記発光部に指向させた場合に前記光検出装置が出力する、前記発光部の発光に応じた光検出信号の波形と、前記導光板に縦方向に光を入射する光源に前記駆動部が入力する駆動信号の波形と前記導光板に横方向に光を入射する光源に前記駆動部が入力する駆動信号の波形とを合成した波形と、を比較し、前記光検出信号の波形に最も近似する合成波形が得られる２つの駆動信号の組み合わせを特定し、該特定した２つの駆動信号のそれぞれによって駆動される２つの光源の組み合わせに対応する前記導光板の発光面の領域の位置に基づいて、前記光検出装置が指向させられている前
記発光部の位置を検出する請求項１又は２に記載の位置検出システム。
【請求項４】
前記発光部からの光の透過特性を入力される映像信号に応じて変化させて映像を表示する映像表示装置を有し、
前記位置検出部は、前記光検出装置を前記映像表示装置に指向させた場合に前記光検出装置が出力する、前記発光部の発光が前記映像表示装置を透過した後の光に応じた光検出信号の波形と、前記駆動部が前記各光源に入力する駆動信号の波形とを比較して、前記光検出装置が指向させられている前記映像表示装置の位置を検出する請求項１〜３のいずれか１項に記載の位置検出システム。
【請求項５】
前記駆動部が前記各光源に入力する駆動信号は、前記映像表示装置における透過特性変化の周波数より高い周波数成分を含み、
前記位置検出部は、前記光検出装置を前記映像表示装置に指向させた場合に前記光検出装置が出力する光検出信号のうち、前記駆動信号の周波数を含む高周波成分のみ通過し、前記映像表示装置の透過特性の変化の周波数を含む低周波成分を阻止する濾波部を有する請求項４に記載の位置検出システム。
【請求項６】
前記駆動部は、前記複数の光源にそれぞれ位相又は周波数が異なるパルス幅変調信号を駆動信号として入力し、
前記駆動部は、前記駆動信号の立ち上がり又は立ち下がりのタイミングを調整することにより前記光源の輝度を調整し、
前記位置検出部は、前記駆動信号の立ち上がり又は立ち下がりのタイミングのうち前記光源の輝度調整のために調整されない方のタイミングを、前記光検出装置を前記発光部又は前記映像表示装置に指向させた場合に前記光検出装置が出力する光検出信号の波形と比較することにより、光検出信号の波形に最も近似する波形の駆動信号を特定する請求項１〜５のいずれか１項に記載の位置検出システム。
【請求項７】
入力される駆動信号に応じて発光する複数の光源がそれぞれ異なる位置に配置されている発光部の複数の光源にそれぞれ波形の異なる駆動信号を入力するステップと、
指向させられた方向から受ける光に応じた光検出信号を出力する光検出装置を前記発光部に指向させた場合に前記光検出装置が出力する光検出信号の波形と、前記複数の光源のそれぞれに入力されている駆動信号の波形と、に基づいて、前記発光部における、前記光検出装置が指向させられている位置を検出するステップと、
を有する位置検出方法。
【請求項８】
前記検出するステップでは、前記光検出装置を前記発光部に指向させた場合に前記光検出装置が出力する光検出信号の波形と、前記複数の光源のそれぞれに入力されている駆動信号の波形と、を比較し、前記光検出信号の波形に最も近似する波形の駆動信号を特定し、該特定した駆動信号により駆動される光源が配置されている位置に基づいて、前記光検出装置が指向させられている位置を検出することを特徴とする請求項７に記載の位置検出方法。
【請求項９】
前記発光部は、光源からの光を導入して面発光する導光板を有し、
前記光源は、それぞれ前記導光板に近接する複数の異なる位置から前記導光板に縦方向又は横方向に光を入射するよう配置され、
前記導光板の発光面は複数の領域に分割され、各領域は、その領域に縦方向に光を入射する光源の発光とその領域に横方向に光を入射する光源の発光とを合成した光に応じて面発光するよう構成され、
前記検出するステップでは、前記光検出装置を前記発光部に指向させた場合に前記光検出装置が出力する、前記発光部の発光に応じた光検出信号の波形と、前記導光板に縦方向
に光を入射する光源に入力されている駆動信号の波形と前記導光板に横方向に光を入射する光源に入力されている駆動信号の波形とを合成した波形と、を比較し、前記光検出信号の波形に最も近似する合成波形が得られる２つの駆動信号の組み合わせを特定し、該特定した２つの駆動信号のそれぞれによって駆動される２つの光源の組み合わせに対応する前記導光板の発光面の領域の位置に基づいて、前記光検出装置が指向させられている前記発光部の位置を検出する請求項７又は８に記載の位置検出方法。
【請求項１０】
前記検出するステップでは、前記光検出装置を、前記発光部からの光の透過特性を入力される映像信号に応じて変化させて映像を表示する映像表示装置に指向させた場合に前記光検出装置が出力する、前記発光部の発光が前記映像表示装置を透過した後の光に応じた光検出信号の波形と、前記各光源に入力されている駆動信号の波形とを比較して、前記光検出装置が指向させられている前記映像表示装置の位置を検出する請求項７〜９のいずれか１項に記載の位置検出方法。
【請求項１１】
前記各光源に入力されている駆動信号は、前記映像表示装置における透過特性変化の周波数より高い周波数成分を含み、
前記検出するステップは、前記光検出装置を前記映像表示装置に指向させた場合に前記光検出装置が出力する光検出信号のうち、前記駆動信号の周波数を含む高周波成分のみ通過し、前記映像表示装置の透過特性の変化の周波数を含む低周波成分を阻止するステップを有する請求項１０に記載の位置検出方法。
【請求項１２】
前記複数の光源にそれぞれ位相又は周波数が異なるパルス幅変調信号が駆動信号として入力され、
前記光源の輝度は、前記駆動信号の立ち上がり又は立ち下がりのタイミングが調整されることにより調整され、
前記検出するステップでは、前記駆動信号の立ち上がり又は立ち下がりのタイミングのうち前記光源の輝度調整のために調整されない方のタイミングを、前記光検出装置を前記発光部又は前記映像表示装置に指向させた場合に前記光検出装置が出力する光検出信号の波形と比較することにより、光検出信号の波形に最も近似する波形の駆動信号を特定する請求項７〜１１のいずれか１項に記載の位置検出方法。
【手続補正２】
【補正対象書類名】明細書
【補正対象項目名】０００７
【補正方法】変更
【補正の内容】
【０００７】
上記課題を解決するための本発明は、
入力される駆動信号に応じて発光する複数の光源がそれぞれ異なる位置に配置されている発光部と、
前記複数の光源にそれぞれ異なる波形の駆動信号を入力する駆動部と、
指向させられた方向から受ける光に応じた光検出信号を出力する光検出装置と、
前記光検出装置を前記発光部に指向させた場合に前記光検出装置が出力する、前記発光部の発光に応じた光検出信号の波形と、前記駆動部が前記各光源に入力する駆動信号の波形と、に基づいて、前記光検出装置が指向させられている前記発光部の位置を検出する位置検出部と、
を有する位置検出システムである。
【手続補正３】
【補正対象書類名】明細書
【補正対象項目名】０００８
【補正方法】変更
【補正の内容】
【０００８】
上記課題を解決するための本発明は、
入力される駆動信号に応じて発光する複数の光源がそれぞれ異なる位置に配置されている発光部の複数の光源にそれぞれ波形の異なる駆動信号を入力するステップと、
指向させられた方向から受ける光に応じた光検出信号を出力する光検出装置を前記発光部に指向させた場合に前記光検出装置が出力する光検出信号の波形と、前記複数の光源のそれぞれに入力されている駆動信号の波形と、に基づいて、前記発光部における、前記光検出装置が指向させられている位置を検出するステップと、
を有する位置検出方法である。